(57)【要約】【課題】  簡単に仕様を変更することができるゴミ回収ボックスを提供する。【解決手段】  ゴミの収容空間を形成する複数の分割セクションＡ１，Ａ２が横並び状に連結され、各分割セクションＡ１，Ａ２においてゴミを回収するように構成されたゴミ回収ボックスであって、各分割セクションＡ１，Ａ２は、スペーサ６０を介して連結されているとともに、両端の分割セクションＡ１，Ａ２の外側部には、側面パネル４０，５０が連結されており、かつ、各分割セクションＡ１，Ａ２の両側部には、スペーサ６０と側面パネル４０，５０とのいずれをも連結しうる切り起こし片１３ｅ，１４ａ，２３ｅ，２４ａが形成されている。スペーサ６０および側面パネル４０，５０には、切り起こし片にスライド係合しうる係合穴６３ｅ，６４ｆ，４０ｅ，４０ｆが設けられている。【選択図】  図２
2005154068.tif 000002
【特許請求の範囲】
【請求項１】
ゴミの収容空間を形成する分割セクションが横並び状に連結され、各分割セクションにおいてゴミを回収するように構成されたゴミ回収ボックスであって、
各分割セクションは、スペーサを介して連結されているとともに、両端の分割セクションの外側部には、側面パネルが連結されており、かつ、
各分割セクションの両側部には、上記スペーサと上記側面パネルとのいずれをも連結しうる連結手段が形成されていることを特徴とする、ゴミ回収ボックス。
【請求項２】
上記連結手段は、各分割セクションの側部に複数の切り起こし片または／および係合穴を設けて形成されており、上記スペーサおよび上記側面パネルには、上記切り起こし片または／および係合穴と対応して、これらにスライド係合しうる係合穴または／および切り起こし片が設けられている、請求項１に記載のゴミ回収ボックス。
【請求項３】
上記スペーサは、各分割セクションの外表面に沿う面を有してフレーム状に形成されている、請求項１または２に記載のゴミ回収ボックス。
【請求項４】
上記スペーサは、各分割セクションの外表面に隣接して外部に露出する部分を有する、請求項３に記載のゴミ回収ボックス。
【請求項５】
上記各分割セクションの外表面は、共通の彩色が施されている一方、上記スペーサの外部露出部と、上記側面パネルの外表面とは、上記各分割セクションの外表面に施された彩色とは異なる、共通の彩色が施されている、請求項４に記載のゴミ回収ボックス。
【請求項６】
ゴミの収容空間を形成する分割セクションが横並び状に連結され、各分割セクションにおいてゴミを回収するように構成されたゴミ回収ボックスであって、
両端の分割セクションの外側部には、側面パネルが連結されており、かつ、
各分割セクションの両側部には、他の分割セクションと上記側面パネルとのいずれをも連結しうる連結手段が形成されていることを特徴とする、ゴミ回収ボックス。
【請求項７】
上記連結手段は、全ての分割セクションにおいて、一方の側面パネルと同じ側の一側部に複数の切り起こし片を設けて形成されているとともに、他方の側面パネルと同じ側の他側部に係合穴を設けて形成されており、上記一方の側面パネルには、上記切り起こし片にスライド係合しうる係合穴が形成されているとともに、上記他方の側面パネルには、上記係合穴にスライド係合しうる切り起こし片が形成されている、請求項６に記載のゴミ回収ボックス。
【請求項８】
各分割セクションは、正面パネル、上面パネル、背面パネル、および底面パネルを備えている、請求項１ないし７のいずれかに記載のゴミ回収ボックス。
【請求項９】
各分割セクションにおける上記上面パネル、背面パネル、および底面パネルのいずれか１つまたは２つは、全ての分割セクションにわたって延出する１枚のパネルによって形成されている、請求項８に記載のゴミ回収ボックス。
【請求項１０】
各分割セクションにおける上記正面パネルは、開閉可能なドアの形態を有しており、かつ、その適部には、ゴミ投入口が形成されている、請求項８または９に記載のゴミ回収ボックス。
【請求項１１】
隣り合う分割セクションは、それらの内部が連通している、請求項１ないし１０のいずれかに記載のゴミ回収ボックス。
【発明の詳細な説明】
【技術分野】
【０００１】
本願発明は、ゴミを回収するためのゴミ回収ボックスに関する。
【背景技術】
【０００２】
ゴミを分別して回収するためのゴミ回収ボックスとしては、たとえば特許文献１に開示されるもののように、正面パネル、上面パネル、背面パネル、底面パネル、および両側面パネルを備えたものがある。上面パネルには、ゴミを分別して回収するための複数の分割セクションにそれぞれ対応して複数のゴミ投入口が必要に応じて形成されている。このようなゴミ回収ボックスは、仕様に応じて全体の大きさやゴミ投入口の数が異なり、仕様ごとに各パネルが異なる。たとえば、３つのゴミ投入口を有するゴミ回収ボックスは、２つのゴミ投入口を有するものより全体的に大きな各パネルが用いられる。
【０００３】
【特許文献１】実用新案登録第３０７０２２８号公報
【発明の開示】
【発明が解決しようとする課題】
【０００４】
しかしながら、上記従来技術においては、ゴミ回収ボックスの仕様ごとに各パネルの大きさや形状が異なるため、その仕様変更に際して不便な点があった。たとえばゴミ回収ボックスを大型のものに変更する場合、新たに別のパネル一式を準備して組み立て直さなければならず、その組み立て作業が面倒になる。また、ゴミ投入口の数を変えずにその配列レイアウトを変える場合にも、配列レイアウトが異なる別のパネルに取り替えなければならない。
【０００５】
本願発明は、上記した事情のもとで考え出されたものであって、簡単に仕様を変更することができるゴミ回収ボックスを提供することをその課題としている。
【課題を解決するための手段】
【０００６】
上記課題を解決するため、本願発明では、次の技術的手段を講じている。
【０００７】
本願発明の第１の側面によって提供されるゴミ回収ボックスは、ゴミの収容空間を形成する分割セクションが横並び状に連結され、各分割セクションにおいてゴミを回収するように構成されたゴミ回収ボックスであって、各分割セクションは、スペーサを介して連結されているとともに、両端の分割セクションの外側部には、側面パネルが連結されており、かつ、各分割セクションの両側部には、上記スペーサと上記側面パネルとのいずれをも連結しうる連結手段が形成されていることを特徴としている。
【０００８】
このような構成によれば、分割セクションの数および配置を選択することにより、所望の仕様のゴミ回収ボックスを形成することができる。たとえば、分割セクションが２つの仕様であれば、２つの分割セクションをスペーサを介して連結し、これら分割セクションの外側部に側面パネルを連結すればよい。分割セクションを２つから例えば３つに変更する場合には、１つの分割セクションに連結された側面パネルをスペーサに交換し、そのスペーサに対して追加分の分割セクションを連結する。取り外した側面パネルについては、追加分の分割セクションに対して再び連結すればよい。また、配列レイアウトを変更するだけの場合には、分割セクションの並び順を変えて上記のように組み立てればよい。したがって、このゴミ回収ボックスは、全体の仕様が変わっても共通の分割セクションおよび側面パネルを用いることができ、スペーサを介した連結によって簡単に仕様を変更することができる。
【０００９】
好ましい実施の形態においては、上記連結手段は、各分割セクションの側部に複数の切り起こし片または／および係合穴を設けて形成されており、上記スペーサおよび上記側面パネルには、上記切り起こし片または／および係合穴と対応して、これらにスライド係合しうる係合穴または／および切り起こし片が設けられている。
【００１０】
このような構成によれば、分割セクションの側部に対しては、切り起こし片と係合穴とをスライド係合させることによってスペーサを確実に連結することができる。このようなスペーサの連結と同様にして、側面パネルも分割セクションの側部に対して確実に連結することができる。したがって、分割セクションに対するスペーサおよび側面パネルの連結作業については、同様の手順で要領良く行うことができる。
【００１１】
好ましい実施の形態においては、上記スペーサは、各分割セクションの外表面に沿う面を有してフレーム状に形成されている。
【００１２】
このような構成によれば、スペーサをフレーム状とすることで軽量化およびコストダウンを図ることができる。
【００１３】
好ましい実施の形態においては、上記スペーサは、各分割セクションの外表面に隣接して外部に露出する部分を有する。
【００１４】
このような構成によれば、隣り合う２つの分割セクションがスペーサの外部露出部によって補強され、頑丈な構造とすることができる。
【００１５】
好ましい実施の形態においては、上記各分割セクションの外表面は、共通の彩色が施されている一方、上記スペーサの外部露出部と、上記側面パネルの外表面とは、上記各分割セクションの外表面に施された彩色とは異なる、共通の彩色が施されている。
【００１６】
このような構成によれば、分割セクションと、スペーサおよび側面パネルとが色分けされ、これらのうち互いに異なる色のものを連結して全体を組み立てることができる。
【００１７】
本願発明の第２の側面によって提供されるゴミ回収ボックスは、ゴミの収容空間を形成する分割セクションが横並び状に連結され、各分割セクションにおいてゴミを回収するように構成されたゴミ回収ボックスであって、両端の分割セクションの外側部には、側面パネルが連結されており、かつ、各分割セクションの両側部には、他の分割セクションと上記側面パネルとのいずれをも連結しうる連結手段が形成されていることを特徴としている。
【００１８】
このような構成によれば、分割セクションの数および配置を選択することにより、所望の仕様のゴミ回収ボックスを形成することができる。たとえば、分割セクションが２つの仕様であれば、２つの分割セクションを直接連結し、これら分割セクションの外側部に側面パネルを連結すればよい。分割セクションを２つから例えば３つに変更する場合には、１つの分割セクションに連結された側面パネルを取り外し、その側面パネルが取り外された分割セクションの側部に対して追加分の分割セクションを連結する。取り外した側面パネルについては、追加分の分割セクションに対して再び連結すればよい。また、配列レイアウトを変更するだけの場合には、分割セクションの並び順を変えて上記のように組み立てればよい。したがって、このゴミ回収ボックスは、全体の仕様が変わっても共通の分割セクションおよび側面パネルを用いることができ、分割セクションの連結によって簡単に仕様を変更することができる。
【００１９】
好ましい実施の形態においては、上記連結手段は、全ての分割セクションにおいて、一方の側面パネルと同じ側の一側部に複数の切り起こし片を設けて形成されているとともに、他方の側面パネルと同じ側の他側部に係合穴を設けて形成されており、上記一方の側面パネルには、上記切り起こし片にスライド係合しうる係合穴が形成されているとともに、上記他方の側面パネルには、上記係合穴にスライド係合しうる切り起こし片が形成されている。
【００２０】
このような構成によれば、一方の側面パネルと各分割セクションの一側部とは、それぞれに形成された係合穴と切り起こし片とをスライド係合させることによって確実に連結することができる。逆に、他方の側面パネルと各分割セクションの他側部とは、それぞれに形成された切り起こし片と係合穴とをスライド係合させることによって確実に連結することができる。また、隣り合う２つの分割セクションについては、一方の一側部における切り起こし片と他方の他側部における係合穴とをスライド係合させることによって確実に連結することができる。したがって、分割セクションに対する他の分割セクションや側面パネルの連結作業については、同様の手順で要領良く行うことができる。
【００２１】
好ましい実施の形態においては、各分割セクションは、正面パネル、上面パネル、背面パネル、および底面パネルを備えている。
【００２２】
このような構成によれば、各分割セクションの正面、上面、背面、および底面が各パネルによって囲まれる。これにより、各分割セクションの内部には、適当な広さのゴミの収容空間を確保することができる。
【００２３】
好ましい実施の形態においては、各分割セクションにおける上記上面パネル、背面パネル、および底面パネルのいずれか１つまたは２つは、全ての分割セクションにわたって延出する１枚のパネルによって形成されている。
【００２４】
このような構成によれば、全ての分割セクションが少なくとも１枚のパネルによってカバーされる。そのため、全ての分割セクションごとに異なるパネルを設ける場合よりも、１つのゴミ回収ボックスに要するパネル数を削減することができる。
【００２５】
好ましい実施の形態においては、各分割セクションにおける上記正面パネルは、開閉可能なドアの形態を有しており、かつ、その適部には、ゴミ投入口が形成されている。
【００２６】
このような構成によれば、分割セクションごとに正面パネルを開閉することにより、各分割セクションの内部にゴミ収集容器を置いたり、各分割セクションの内部からゴミ収集容器を取り出すことができる。ゴミの収容空間となる各分割セクションの内部には、ゴミ投入口からゴミを入れることができる。
【００２７】
好ましい実施の形態においては、隣り合う分割セクションは、それらの内部が連通している。
【００２８】
このような構成によれば、たとえば２つの分割セクションが連結されている場合、それらの内部に相当広いゴミの収容空間が形成されることとなり、そのような収容空間に比較的大きなゴミ収集容器を置くことができる。
【００２９】
本願発明のその他の特徴および利点は、添付図面を参照して以下に行う詳細な説明によって、より明らかとなろう。
【発明を実施するための最良の形態】
【００３０】
以下、本願発明の好ましい実施の形態を、図面を参照して具体的に説明する。
【００３１】
図１〜１６は、本願発明に係るゴミ回収ボックスの第１の実施形態を示している。この実施形態に係るゴミ回収ボックスは、横方向に並んで配置された複数の分割セクションＡ１〜Ａ３と、隣接する分割セクション間に挿入されたスペーサ６０と、左右の側面パネル４０，５０とを備えている。これらの図のうち、図１は２つの分割セクションＡ１，Ａ２を備えた全体構成を、図１５は３つの分割セクションＡ１〜Ａ３を備えた全体構成を、図１６は１つの分割セクションＡ１を備えた全体構成を、それぞれ示している。図１に示す構成において、第１分割セクションＡ１は、空き缶や空きビンを回収するために構成されたものであり、第２分割セクションＡ２は、紙屑などの一般ゴミを回収するために構成されたものである。図１５に示す構成においては、上記第１分割セクションＡ１と第２分割セクションＡ２に加え、新聞や雑誌などを回収するために構成された第３の分割セクションＡ３が設けられており、図１６に示す構成においては、分割セクションとして、第１の分割セクションＡ１のみを備えている。
【００３２】
図１および図２を参照すると、各分割セクションＡ１，Ａ２は、それぞれ正面パネル１１，２１、上面パネル１２，２２、背面パネル１３，２３、および底面パネル１４，２４を備えて構成されている。正面パネル１１，２１の上部には、ゴミ投入口１１ａ，２１ａが設けられている。このような各分割セクションＡ１，Ａ２の内部は、ゴミの収容空間として用いられ、ゴミ投入口１１ａ，２１ａからのゴミを受けて溜めておくゴミ収集容器Ｂ１，Ｂ２が収められている。また、図面には表さないが、各分割セクションＡ１，Ａ２を構成する全てのパネルは、同じ色で塗装されている。一方、左右の側面パネル４０，５０とスペーサ６０とは、各分割セクションＡ１，Ａ２の色とは異なる色で塗装されている。なお、図１５に示す構成においては、第３分割セクションＡ３が付加されているが、この第３分割セクションＡ３も同様に正面パネル３１、上面パネル３２、背面パネル（図に表れず）、および底面パネル（図に表れず）を備えている。各分割セクションＡ１〜Ａ３を構成する正面パネル１１，２１，３１、上面パネル１２，２２，３２、背面パネル１３，２３、および底面パネル１４，２４は、各分割セクションの幅に応じてそれに対応した横幅を有し、正面パネル１１，２１，３１についてはゴミ投入口の形態が異なり、上面パネル１２，２２，３２については、灰皿が設けられているか否かが異なるが、各分割セクションにおけるパネル相互の連結構造、あるいは、他の分割セクションあるいは側面パネルとの連結構造は、共通している。
【００３３】
正面パネル１１，２１，３１は、たとえば鋼板製であり、開閉可能なドアとしての機能を備えるとともに、開閉用のノブ１１ｂ，２１ｂ，３１ｂが設けられている。第１分割セクションＡ１の正面パネル１１には、空き缶や空きビンなどを分けて投入しうる丸形のゴミ投入口１１ａが設けられ、第２分割セクションＡ２の正面パネル２１には、一般ゴミを投入しうる横長矩形のゴミ投入口２１ａが設けられ、第３分割セクションＡ３の正面パネル３１（図１５）には、新聞や雑誌を投入するための上下方向に開口幅の狭い横長矩形の投入口３１ａが設けられている。図２に戻って、各正面パネル１１，２１は、回転軸１１ｃ，２１ｃを介して上面パネル１２，２２と底面パネル１４，２４との間に支持されている。なお、図１５には表れていないが、第３分割セクションＡ３の正面パネル３１も、同様の構成によって上面パネル３２と底面パネルとの間に支持される。
【００３４】
各分割セクションＡ１，Ａ２の上面パネル１２，２２は、たとえば鋼板製であり、各分割セクションＡ１，Ａ２の上面をカバーしている。この上面パネル１２の右側面を示す図３に表れているように、第１分割セクションＡ１の上面パネル１２は、背面側から正面側に向かって下降傾斜状の斜面部１２ａ、斜面部１２ａの上端から下方へと延びる背面部１２ｂ、これら斜面部１２ａおよび背面部１２ｂの左右両側におけるフランジ状の側部１２ｃ、背面部１２ｂの下端に連続するフランジ状の下端部１２ｄ、ならびに斜面部１２ａの下端より内側に回り込む姿勢で正面パネル１１に当接するストッパ部１２ｅを有している。
【００３５】
上面パネル１２の斜面部１２ａには、灰皿受け部１２ｆが設けられている。背面部１２ｂは、背面パネル１３に隣接して概ね面一となる。左右の側部１２ｃには、ボルト・ナット締結用の丸穴１２ｇが左右対称に設けられている。この丸穴１２ｇを介してボルト・ナットを締結することにより、左右の側部１２ｃには、スペーサ６０を連結することができる。また、左右の側部１２ｃには、スペーサ６０に代えてそれぞれ左右の側面パネル４０，５０も連結することができる。下端部１２ｄにも、ボルト・ナット締結用の丸穴１２ｈが設けられている。この丸穴１２ｈを介してボルト・ナットを締結することにより、下端部１２ｄには、背面パネル１３が連結されている。ストッパ部１２ｅには、正面パネル１１の回転軸１１ｃを回転自由に支持するための軸穴１２ｉが設けられている。なお、第２および第３分割セクションＡ２，Ａ３の上面パネル２２，３２も、灰皿受け部が設けられていない点や外形サイズなどが若干異なる点を除き、上記上面パネル１２とほぼ同様の構成とされる。
【００３６】
各分割セクションＡ１，Ａ２の背面パネル１３，２３は、たとえば鋼板製であり、各分割セクションＡ１，Ａ２の背面をカバーしている。第１分割セクションＡ１の背面パネル１３について示す図４および図５に表れているように、背面パネル１３は、正面パネル１１とほぼ同じ大きさの平面部１３ａを有する。平面部１３ａの左右両側には、フランジ状の側部１３ｂが形成されているとともに、平面部１３ａの上下両端にも、フランジ状の上端部１３ｃおよび下端部１３ｄが形成されている。
【００３７】
背面パネル１３の左右の側部１３ｂには、パネルの厚み程度外側に突出して先端が下向きになるように複数の切り起こし片１３ｅが形成されている。この切り起こし片１３ｅに対応して、これにスライド係合しうる係合穴４０ｅ，６３ｅが側面パネル４０，５０およびスペーサ６０に設けられている（図８〜図１１参照）。このような切り起こし片１３ｅと係合穴とを相互に係合させることにより、左右の側部１３ｂには、スペーサ６０を連結することができる。また、左右の側部１３ｂには、スペーサ６０に代えてそれぞれ左右の側面パネル４０，５０も連結することができる。背面パネル１３の下端部１３ｄには、底面パネル１４の切り起こし片１４ｂ（図６参照）に対応する複数の係合穴１３ｆが形成されている。これら切り起こし片１４ｂと係合穴１３ｆとを相互に係合させることにより、下端部１２ｄには、底面パネル１４が連結されている。一方、この背面パネル１３の上端部１３ｃには、上面パネル１２の丸穴１２ｈ（図３参照）に対応するように丸穴１３ｇが設けられている。これら丸穴１２ｈ，１３ｇを介してボルト・ナットを締結することにより、上端部１３ｃには、上面パネル１２が連結されている。なお、第２および第３分割セクションＡ２，Ａ３の背面パネル２３も、外形サイズなどが若干異なる点を除き、上記背面パネル１３とほぼ同様の構成とされている。
【００３８】
各分割セクションＡ１，Ａ２の底面パネル１４，２４は、たとえば鋼板製であり、各分割セクションＡ１，Ａ２の底面をカバーしている。図２、および第１分割セクションＡ１の底面パネル１４について示す図６、図７に表れているように、底面パネル１４は、側面パネル４０，５０やスペーサ６０とほぼ同じ奥行き寸法に形成されている一方、正面パネル１１や背面パネル１３よりも若干横幅寸法が長い。底面パネル１４の左右両側縁には、パネルの厚み程度内側に突出して先端が正面の方を向くように複数の切り起こし片１４ａが形成されている。この切り起こし片１４ａに対応して、これにスライド係合しうる係合穴４０ｆ，６４ｆが側面パネル４０，５０およびスペーサ６０に設けられている（図８〜図１１参照）。このような切り起こし片１４ａと係合穴とを相互に係合させることにより、底面パネル１４の左右両側縁には、スペーサ６０を連結することができる。また、底面パネル１４の左右両側縁には、スペーサ６０に代えて左右の側面パネル４０，５０も連結することもできる。
【００３９】
一方、図６および図７に表れているように、底面パネル１４の後端縁にも、パネルの厚み程度内側に突出して先端が正面の方を向くように複数の切り起こし片１４ｂが形成されている。この切り起こし片１４ｂと背面パネル１３の係合穴１３ｆ（図４および図５参照）とを相互に係合させることにより、底面パネル１４の後端縁には、背面パネル１３が連結されている。このような底面パネル１４の外面には、脚部１４ｃが設けられている。底面パネル１４の前端縁には、正面パネル１１の回転軸１１ｃを回転自由に支持するための軸穴１４ｄが設けられている。なお、第２および第３分割セクションＡ２，Ａ３の底面パネル２４も、外形サイズなどが若干異なる点を除き、上記底面パネル１４とほぼ同様の構成とされている。
【００４０】
左右の側面パネル４０，５０は、たとえば鋼板製であり、ゴミ回収ボックス全体の左右側面をそれぞれカバーしている。左側の側面パネル４０について示す図８および図９に表れているように、側面パネル４０には、各分割セクションＡ１〜Ａ３における上面パネルの側部、背面パネルの左側部、底面パネルの左側縁にそれぞれ対向しうる、フランジ状の上端部４０ａ、後端部４０ｂ、下端部４０ｃが形成されている。上端部４０ａには、上面パネルの丸穴（図３に示す符号１２ｇ）に対応するように丸穴４０ｄが設けられている。後端部４０ｂには、背面パネルの切り起こし片（図４および図５に示す符号１３ｅ）に対応するように係合穴４０ｅが設けられている。下端部４０ｃには、底面パネルの切り起こし片（図６および図７に示す符号１４ａ）に対応するように係合穴４０ｆが設けられている。右側の側面パネル５０は、上記左側の側面パネル４０と対称形の構成とされている。
【００４１】
スペーサ６０は、図１０および図１１に表れているように、たとえば鋼板をフレーム状に折り曲げて形成されたものであり、各分割セクションＡ１〜Ａ３を連結するために設けられている。スペーサ６０は、側面側から見た外形が側面パネル４０，５０の外形とほぼ同じである。一方、スペーサ６０の横幅寸法Ｔは、側面パネル４０，５０の横幅寸法ｔ（図９参照）より倍程度大きい。このようなスペーサ６０は、正面部６１、上面部６２、背面部６３、底面部６４を有しており、これらは各分割セクションＡ１〜Ａ３の各パネルにそれぞれ隣接して概ね面一となって外部に露出している。正面部６１、上面部６２、背面部６３、底面部６４によって囲まれた部分６５は、隣り合う分割セクションＡ１〜Ａ３の内部を連通させるように、空洞状になっている。そのため、スペーサ６０は、側面パネル４０，５０よりも軽量であり、持ち運びや取り扱いが行いやすい。また、スペーサ６０は、側面パネル４０，５０に比べて横幅が大きいため、各分割セクションＡ１〜Ａ３を補強するものとして十分機能し、各分割セクションＡ１〜Ａ３を頑丈に連結している。
【００４２】
このスペーサ６０の正面部６１は、互いに隣り合う開閉式の正面パネル１１，２１の間に介在する。このような正面部６１が介在することにより、正面パネル１１，２１の一方を開閉する際には、その一方の側部が他方に接触して干渉することはない。上面部６２および背面部６３の左右両側には、各分割セクションＡ１〜Ａ３における上面パネルの側部、背面パネルの側部にそれぞれ対向するフランジ状の上端部６２ａ、後端部６３ｂが形成されている。上端部６２ａには、上面パネルの丸穴（１２ｇ）に対応するように丸穴６２ｄが設けられている。後端部６３ｂには、背面パネルの切り起こし片（１３ｅ）に対応するように係合穴６３ｅが設けられている。底面部６４には、２枚の底面パネルの縁部を突き合わせた姿勢でこれら底面パネルが連結されている。このような底面部６４には、２枚の底面パネルの切り起こし片（１４ａ）に対応するように係合穴６４ｆが２列に並んで設けられている。
【００４３】
次に、ゴミ回収ボックスの組み立て方について説明する。
【００４４】
たとえば図１に示すように、２つのゴミ投入口１１ａ，２１ａを有する仕様とするには、第１分割セクションＡ１の背面パネル１３の左側部１３ｂに対し、左側の側面パネル４０の後端部４０ｂを連結する。同様に、第１分割セクションＡ１の背面パネル１３の右側部１３ｂに対し、スペーサ６０の左側後端部６３ｂを連結する。これらの連結は、図１２，１３に連結部分の断面を示すように、背面パネル１３の切り起こし片１３ｅに側面パネル４０やスペーサ６０の係合穴４０ｅ，６３ｅを嵌め合わせ、その後少しだけ相対的にスライドさせることで簡単に行うことができる。このとき、背面パネル１３とスペーサ６０および側面パネル４０とは、互いに異なる色で色分けされているため、色違いどうしを連結するようにして要領良く組み立てることができる。
【００４５】
さらに、上記と同じ要領により、第２分割セクションＡ２の背面パネル２３と右側の側面パネル５０とを連結するとともに、第２分割セクションＡ２の背面パネル２３とスペーサ６０とを連結する。これにより、２枚の背面パネル１３，２３、側面パネル４０，５０、およびスペーサ６０が一体となる。このときも、背面パネル２３とスペーサ６０および側面パネル５０とは、互いに異なる色で色分けされているため、色違いどうしを連結するようにして要領良く組み立てることができる。
【００４６】
次に、一体となった背面パネル１３，２３の下端部１３ｄ、側面パネル４０，５０の下端部４０ｃ、およびスペーサ６０の底面部６４に対し、底面パネル１４，２４を連結する。たとえば一方の底面パネル１４の連結については、図１４に示すように、底面パネル１４の切り起こし片１４ａ，１４ｂに側面パネル４０、スペーサ６０、および背面パネル１３の係合穴４０ｅ，６３ｅ，１３ｆを同時に嵌め合わせ、その後少しだけ相対的にスライドさせることで簡単に行うことができる。他方の底面パネル２４の連結についても、同じ要領で行うことができる。これにより、さらに底面パネル１４，２４が一体となる。
【００４７】
次に、背面パネル１３，２３の上端部１３ｃ、側面パネル４０，５０の上端部４０ａ、およびスペーサ６０の上端部６２ａに対し、上面パネル１２，２２を連結する。これらの連結については、背面パネル１３，２３、側面パネル４０，５０、およびスペーサ６０の各丸穴１３ｇ，４０ｄ，６２ｄを、上面パネル１２，２２の各丸穴１２ｈ，１２ｇに一致させ、これらの丸穴にボルトを通してナットで締結すればよい。これにより、さらに上面パネル１２，２２が一体となる。
【００４８】
最後に、正面パネル１１，２１の回転軸１１ｃ，２１ｃを上面パネル１２，２２および底面パネル１４，２４の軸穴１２ｉ，１４ｄに通すことにより、正面パネル１１，２１を取り付けて完成する。使用時には、ゴミ投入口１１ａ，２１ａから種類別にゴミが投入され、投入されたゴミが各ゴミ収集容器Ｂ１，Ｂ２に溜められる。各ゴミ収集容器Ｂ１，Ｂ２にある程度の量のゴミが溜まると、正面パネル１１，２１を開き、ゴミ収集容器Ｂ１，Ｂ２を外部に取り出すことができる。
【００４９】
なお、図１に示すゴミ回収ボックスの他の組み立て方としては、次のようにして行うこともできる。たとえば第１分割セクションＡ１としては、背面パネル１３、底面パネル１４、および左の側面パネル４０をあらかじめ一体化しておく。同様に、第２分割セクションＡ２についても、背面パネル２３、底面パネル２４、および右の側面パネル５０をあらかじめ一体化しておく。
【００５０】
そして、第１分割セクションＡ１の底面パネル１４の切り起こし片１４ａにスペーサ６０の係合穴６４ｆを嵌め合わせた上で、背面パネル１３の切り起こし片１３ｅとスペーサ６０の係合穴６３ｅとが重なり合うように、スペーサ６０に対して背面パネル１３や底面パネル１４を歪ませる。これらスペーサ６０、背面パネル１３、および底面パネル１４は、比較的簡単に歪ませることができる。背面パネル１３の切り起こし片１３ｅがスペーサ６０の係合穴６３ｅに重なって差し込まれると、スペーサ６０に対して背面パネル１３や底面パネル１４を歪ませた状態を解除する。これにより、背面パネル１３の切り起こし片１３ｅとスペーサ６０の係合穴６３ｅとが確実に嵌め合わされた状態となり、背面パネル１３、底面パネル１４、左の側面パネル４０、およびスペーサ６０が一体となる。
【００５１】
その後、第２分割セクションＡ２の底面パネル２４および背面パネル２３の切り起こし片２４ａ，２３ｅと、スペーサ６０の係合穴６４ｆ，６３ｅとを、上記と同じ要領によって嵌め合わせる。これにより、さらにスペーサ６０に対して第２分割セクションＡ２の背面パネル１３、底面パネル１４、および右の側面パネル５０が一体となる。最終的には、所定の箇所に上面パネル１２，２２を連結するとともに、正面パネル１１，２１を取り付けることにより、図１に示す形態のゴミ回収ボックスを完成することができる。
【００５２】
完成した図１のゴミ回収ボックスについては、図１５に示すように、３つのゴミ投入口１１ａ，２１ａ，３１ａを有する仕様に変更することができる。その場合、次のようにして行う。
【００５３】
まず、右の側面パネル５０を第２分割セクションＡ２から取り外す。具体的には、側面パネル５０と上面パネル２２とを連結しているボルト・ナットを外す。その後、側面パネル５０全体を背面側にスライドさせることにより、側面パネル５０の係合穴が底面パネル２４の切り起こし片から外れる。さらに、側面パネル５０全体を上方に持ち上げることにより、側面パネル５０の係合穴が背面パネル２３の切り起こし片から外れ、側面パネル５０全体が完全に外れる。
【００５４】
外した側面パネル５０は、もう一つ別のスペーサ６０とともに、第３分割セクションＡ３の正面パネル３１、上面パネル３２、背面パネル、および底面パネルに連結しておく。
【００５５】
次に、第３分割セクションＡ３の各パネルに連結されたスペーサ６０を第２分割セクションＡ２の右側部に取り付ける。これは、先述した他の組み立て方と同様に、スペーサ６０に対して背面パネルや底面パネルを歪ませながら係合穴と切り起こし片とを嵌め合わすことにより、簡単に取り付けることができる。その後、第２分割セクションＡ２の上面パネル２２にボルト・ナットを介してスペーサ６０を連結することにより、図１５に示す形態のゴミ回収ボックスが完成する。以上のようにしてゴミ回収ボックスの仕様を変更する場合には、スペーサ６０を介して第３分割セクションＡ３を第２分割セクションＡ２に連結し、外した側面パネル５０を付け直すだけでよい。そのため、第１および第２分割セクションＡ１，Ａ２を解体する必要もなく、簡単に仕様を変更することができる。なお、第３分割セクションＡ３や一旦外した側面パネル５０は、スペーサ６０を第２分割セクションＡ２の右側部に取り付けた後に一体化してもよい。
【００５６】
また、別の仕様としては、図１６に示すように、１つのゴミ投入口１１ａしかない仕様とすることもできる。その場合の作業手順については省略するが、先述したのと同様の取り付け・取り外し方によって簡単に行うことができる。
【００５７】
また、詳細については省略するが、図１や図１５に示すゴミ投入口１１ａ，２１ａ，３１ａの数を変えることなく、ゴミ投入口の配列レイアウトを変更することもできる。たとえば、左右にそれぞれ第１および第２分割セクションＡ１，Ａ２のゴミ投入口１１ａ，２１ａを有する図１のような配列レイアウトを、左右逆の配列レイアウトに変更することができる。この場合の作業手順についても、先述したのと同様の取り付け・取り外し方によって簡単に行うことができる。
【００５８】
このように、仕様が変わっても共通のパネルやスペーサを用いることができるため、ユーザは、ゴミ回収ボックスを所望とする仕様に応じて簡単に分解・組立を行うことができる。また、製造上においては、各種仕様に共通のスペーサをフレーム状に形成することによってコストダウンを図ることができる。また、各種仕様に対応する複数のパネルをまとめて出荷したり、あるいは仕様の変更に応じて必要なパネルを出荷できるため、輸送コストを低減することができる。
【００５９】
図１７〜２５は、本願発明に係るゴミ回収ボックスの第２の実施形態を示している。これらの図において、上記第１の実施形態と同一または類似の要素には、上記第１の実施形態と同一符号を付し、それらの説明を適宜省略する。
【００６０】
図１７および図１８によく表れているように、この実施形態のゴミ回収ボックスは、第１分割セクションＡ１と第２分割セクションＡ２とを直接連結して構成されている。また、別の仕様としては、図２５に示すように、第１〜第３分割セクションＡ１〜Ａ３を互いに直接連結した構成とすることもできる。図１７および図１８に戻って、第１分割セクションＡ１と第２分割セクションＡ２とは、上述した第１の実施形態と同様に、それぞれ正面パネル１１，２１、上面パネル１２，２２、背面パネル１３，２３、および底面パネル１４，２４を備えて構成されている。図１および図２に示した実施形態と異なる構成としては、左右の側面パネル４０，５０、背面パネル１３，２３の左右の側部、および底面パネル１４，２４の左右の側縁において、それらの左右で係合穴と切り起こし片とが互い違いの関係をなすように設けられている。
【００６１】
左側の側面パネル４０は、先述した実施形態と同様の構成を有する（図８および図９参照）。その一方、右側の側面パネル５０は、その後端部５０ｂおよび下端部５０ｃの構成が左の側面パネル４０とは異なる。図１９および図２０に示すように、右側の側面パネル５０の後端部５０ｂには、後述する背面パネルの係合穴に対応するように、外方下向きに突出する形状の切り起こし片５０ｅが形成されている。また、右側の側面パネル５０の下端部５０ｃには、後述する底面パネルの係合穴に対応するように、外方正面側に突出する形状の切り起こし片５０ｆが形成されている。
【００６２】
図２１および図２２に示すように、第１分割セクションＡ１の背面パネル１３の左側部１３ｂには、左側の側面パネル４０の係合穴４０ｅに対応するように、複数の切り起こし片１３ｅが形成されている。その一方、背面パネル１３の右側部１３ｂ’には、上記切り起こし片１３ｅと左右対称に位置して複数の係合穴１３ｅ’が形成されている。第２，第３分割セクションＡ２，Ａ３の背面パネル２３も、上記と同様の構成を有する。つまり、各分割セクションＡ１〜Ａ３の背面パネル１３，２３は、それぞれの左側部に左側の側面パネル４０を連結することができる一方、それぞれの右側部に右側の側面パネル５０を連結することができる。また、たとえば第１分割セクションＡ１の背面パネル１３の左側部には、左の側面パネル４０に代えて、第２，第３分割セクションＡ２，Ａ３の背面パネル２３の右側部を連結することもできる。同様に、第１分割セクションＡ１の背面パネル１３の右側部には、右側の側面パネル５０に代えて、第２，第３分割セクションＡ２，Ａ３の背面パネル２３の左側部を連結することもできる。
【００６３】
図２３および図２４に示すように、第１分割セクションＡ１の底面パネル１４の左側縁には、上面側に突出して先端が正面の方を向くように複数の切り起こし片１４ａが形成されている。その一方、底面パネル１４の右側縁には、上記切り起こし片１４ａと左右対称に位置して複数の係合穴１４ａ’が形成されている。また、図２４によく表れているように、底面パネル１４の右側縁は、ほぼパネルの厚み分上面側に変位させた段差が形成されている。第２，第３分割セクションＡ２，Ａ３の底面パネル２４も、上記と同様の構成を有する。つまり、各３分割セクションＡ１〜Ａ３の底面パネル１４，２４は、それぞれの左側縁に左の側面パネル４０を連結することができる一方、それぞれの右側縁に右側の側面パネル５０を連結することができる。また、たとえば第１分割セクションＡ１の底面パネル１４の左側縁には、左側の側面パネル４０に代えて、第２，第３分割セクションＡ２，Ａ３の底面パネル２４の右側縁を概ね面一となるように連結することもできる。同様に、第１分割セクションＡ１の底面パネル１４の右側縁には、右側の側面パネル５０に代えて、第２，第３分割セクションＡ２，Ａ３の底面パネル２４の左側縁を概ね面一となるように連結することもできる。
【００６４】
図１７および図１８に示される実施形態のゴミ回収ボックスは、次のようにして組み立てることができる。
【００６５】
たとえば第１分割セクションＡ１としては、背面パネル１３、底面パネル１４、および左の側面パネル４０をあらかじめ一体化しておく。同様に、第２分割セクションＡ２についても、背面パネル２３、底面パネル２４、および右の側面パネル５０をあらかじめ一体化しておく。
【００６６】
そして、第１分割セクションＡ１の底面パネル１４における右側縁の係合穴１４ａ’に対して、第２分割セクションＡ２の底面パネル２４における左側縁の切り起こし片を嵌め合わせる。そうした上で、第１分割セクションＡ１の背面パネル１３における右側部１３ｂ’の係合穴１３ｅ’と第２分割セクションＡ２の背面パネル２３における左側部２３ｂの切り起こし片２３ｅとが重なり合うように、背面パネル１３，２３や底面パネル１４，２４を相対的に歪ませる。これら背面パネル１３，２３や底面パネル１４，２４は、比較的簡単に歪ませることができる。これら左右の係合穴１３ｅ’と切り起こし片２３ｅとが重なって嵌め込まれると、背面パネル１３，２３や底面パネル１４，２４を歪ませた状態を解除する。これにより、第１分割セクションＡ１の右側部分と第２分割セクションＡ２の左側部分とが確実に連結された状態となり、第１および第２分割セクションＡ１，Ａ２が一体となる。
【００６７】
その後、所定の箇所にボルト・ナットを介して上面パネル１２，２２を連結するとともに、正面パネル１１，２１を取り付けることにより、図１７に示す形態のゴミ回収ボックスを完成することができる。
【００６８】
完成した図１７のゴミ回収ボックスについては、図２５に示すように、３つのゴミ投入口１１ａ，２１ａ，３１ａを有する仕様に変更することができる。その場合、次のようにして行う。
【００６９】
まず、右の側面パネル５０を第２分割セクションＡ２から取り外す。このとき、側面パネル５０と上面パネル２２とを連結しているボルト・ナットを外す。その後、側面パネル５０全体を背面側にスライドさせることにより、側面パネル５０の下端部５０ｃにおける切り起こし片５０ｆが底面パネル２４の係合穴２４ａ’から外れる。さらに、側面パネル５０全体を上方に持ち上げることにより、側面パネル５０の後端部５０ｂにおける切り起こし片５０ｅが背面パネル２３の係合穴２３ｅ’から外れ、側面パネル５０全体が完全に外れる。
【００７０】
外した側面パネル５０は、第３分割セクションＡ３の正面パネル３１、上面パネル３２、背面パネル、および底面パネルと一体化しておく。その後、第１および第２分割セクションＡ１，Ａ２の連結手順と同様にして、第２分割セクションＡ２に第３分割セクションＡ３を直接連結することができる。これにより、図２５に示す形態のゴミ回収ボックスが完成する。このようなゴミ回収ボックスも、先述した第１の実施形態と同様に、図１６に示すような形態に簡単に変更することができる。もちろん、ゴミ投入口の配列レイアウトも簡単に変更することもできる。
【００７１】
したがって、第２の実施形態のゴミ回収ボックスによれば、各分割セクションＡ１〜Ａ３を直接連結することができるため、スペーサを必要としない分、コストダウンをより大きく図ることができる。
【００７２】
なお、本願発明に係るゴミ回収ボックスは、上記実施形態に限定されるものではない。
【００７３】
たとえば、さらに他の実施形態に係るゴミ回収ボックスを図２６に示すように、底面パネル８４については、第１分割セクションＡ１から第２分割セクションＡ２までをカバーする一枚ものとしてもよい。その他、上面パネルあるいは背面パネルを第１分割セクションから第２分割セクションまでをカバーする一枚ものとしてもよい。さらには、底面パネル、上面パネル、背面パネルのいずれか２つを第１分割セクションから第２分割セクションまでをカバーする一枚ものとしてもよい。そうした場合、先述した実施形態のように第１および第２分割セクションＡ１，Ａ２ごとに異なるパネルを設ける場合よりも、１仕様のゴミ回収ボックスに要するパネル数を削減することができる。
【００７４】
連結手段としての切り起こし片と係合穴とは、先述した実施形態とは逆側に設けられていてもよい。また、連結手段としては、切り起こし片および係合穴に代えて、ボルト・ナットによって所定の部分を締結する構成としてもよい。
【００７５】
ゴミ投入口は、各分割セクションの少なくとも一つに設けられていればよい。また、ゴミ投入口は、上面パネルあるいは側面パネルに設けられていてもよい。
【図面の簡単な説明】
【００７６】
【図１】本願発明に係るゴミ回収ボックスの第１の実施形態を示す斜視図である。
【図２】図１に示されるゴミ回収ボックスの分解斜視図である。
【図３】図１および図２に示されるゴミ回収ボックスにおける上面パネルの側面図である。
【図４】図１および図２に示されるゴミ回収ボックスにおける背面パネルの平面図である。
【図５】図４のＶ−Ｖ線に沿う断面図である。
【図６】図１および図２に示されるゴミ回収ボックスにおける底面パネルの平面図である。
【図７】図６のVII−VII線に沿う断面図である。
【図８】図１および図２に示されるゴミ回収ボックスにおける側面パネルの平面図である。
【図９】図８のIX−IX線に沿う断面図である。
【図１０】図１および図２に示されるゴミ回収ボックスにおけるスペーサの平面図である。
【図１１】図１０のXI−XI線に沿う断面図である。
【図１２】切り起こし片と係合穴との係合手順を説明するための断面図である。
【図１３】切り起こし片と係合穴との係合手順を説明するための断面図である。
【図１４】切り起こし片と係合穴との係合手順を説明するための斜視図である。
【図１５】図１に示されるゴミ回収ボックスの仕様変更後の形態例を示す斜視図である。
【図１６】図１に示されるゴミ回収ボックスの仕様変更後の形態例を示す斜視図である。
【図１７】本願発明に係るゴミ回収ボックスの第２の実施形態を示す斜視図である。
【図１８】図１７に示されるゴミ回収ボックスの分解斜視図である。
【図１９】図１７および図１８に示されるゴミ回収ボックスにおける側面パネルの平面図である。
【図２０】図１９のXX−XX線に沿う断面図である。
【図２１】図１７および図１８に示されるゴミ回収ボックスにおける背面パネルの平面図である。
【図２２】図２１のXXII−XXII線に沿う断面図である。
【図２３】図１７および図１８に示されるゴミ回収ボックスにおける底面パネルの平面図である。
【図２４】図２３のXXIV−XXIV線に沿う断面図である。
【図２５】図１７に示されるゴミ回収ボックスの仕様変更後の形態例を示す斜視図である。
【図２６】本願発明に係るゴミ回収ボックスの他の実施形態を示す分解斜視図である。
【符号の説明】
【００７７】
Ａ１                                    第１分割セクション
Ａ２                                    第２分割セクション
Ａ３                                    第３分割セクション
１１，２１，３１                        正面パネル
１２，２２，３２                        上面パネル
１３，２３                              背面パネル
１３ｂ，２３ｂ                          背面パネルの側部
１３ｅ，１４ａ，１４ｂ，５０ｅ，５０ｆ  切り起こし片
１３ｆ，４０ｅ，４０ｆ，６３ｅ，６４ｆ  係合穴
１３ｅ’，１４ａ’                      係合穴
１４，２４，８４                        底面パネル
１１ａ，２１ａ，３１ａ                  ゴミ投入口
４０，５０                              側面パネル
６０                                    スペーサ
６１                                    正面部
６２                                    上面部
６３                                    背面部
６４                                    底面部
【図１】
2005154068.tif 000003
【図２】
2005154068.tif 000004
【図３】
2005154068.tif 000005
【図４】
2005154068.tif 000006
【図５】
2005154068.tif 000007
【図６】
2005154068.tif 000008
【図７】
2005154068.tif 000009
【図８】
2005154068.tif 000010
【図９】
2005154068.tif 000011
【図１０】
2005154068.tif 000012
【図１１】
2005154068.tif 000013
【図１２】
2005154068.tif 000014
【図１３】
2005154068.tif 000015
【図１４】
2005154068.tif 000016
【図１５】
2005154068.tif 000017
【図１６】
2005154068.tif 000018
【図１７】
2005154068.tif 000019
【図１８】
2005154068.tif 000020
【図１９】
2005154068.tif 000021
【図２０】
2005154068.tif 000022
【図２１】
2005154068.tif 000023
【図２２】
2005154068.tif 000024
【図２３】
2005154068.tif 000025
【図２４】
2005154068.tif 000026
【図２５】
2005154068.tif 000027
【図２６】
2005154068.tif 000028